【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
無線通信システムにおける送信器によりデータを送信する方法であって、
少なくとも一つのサービスのデータストリームを送信するための物理フレームを生成するステップと、
少なくとも一つの物理チャンネルを通して物理フレームを送信するステップと、
前記物理フレームは、少なくとも一つの論理チャンネルにマッピングされ、前記少なくとも一つの論理チャンネルの各々は、複数個の論理フレームのうちの選択された論理フレームを含み、前記複数個の論理フレームの各々は、前記データストリームに基づいて生成された複数個の物理階層パイプ(ＰＬＰ)のうちの選択されたＰＬＰを含むことを特徴とする方法。
【請求項２】
前記複数個の論理フレームの各々は、前記選択されたＰＬＰと関連するシグナリング情報を含み、前記シグナリング情報は、前記複数個の論理フレームの各々の開始に位置することを特徴とする請求項１に記載の方法。
【請求項３】
前記複数個の論理フレームの各々に含まれた前記選択されたＰＬＰの配列は、一つの論理フレームから他の論理フレームまで動的に変更されることを特徴とする請求項１に記載の方法。
【請求項４】
前記選択されたＰＬＰは、第１のデータタイプを有する少なくとも一つの第１のＰＬＰと、第２のデータタイプを有する少なくとも一つの第２のＰＬＰの順序で配列され、
論理フレームに含まれた前記少なくとも一つの第１のＰＬＰのユニットは、前記少なくとも一つの第１のＰＬＰの各々から分割されたスライスのうちの一つであり、前記論理フレームに含まれた前記少なくとも一つの第１のＰＬＰのスライスは相互に隣接し、
前記論理フレームに含まれた前記少なくとも一つの第２のＰＬＰのユニットは、前記少なくとも一つの第２のＰＬＰの各々から分割されたスライスのうちの多重スライスであることを特徴とする請求項１に記載の方法。
【請求項５】
前記論理フレームで前記選択されたＰＬＰは、前記少なくとも一つの第１のＰＬＰの後に少なくとも一つの補助ストリームと、前記少なくとも一つの第２のＰＬＰと、少なくとも一つの共通ＰＬＰと、前記論理フレームで残りの領域を満たすために配列されるダミーセルをさらに含むことを特徴とする請求項４に記載の方法。
【請求項６】
前記論理フレームに含まれた前記選択されたＰＬＰは、前記少なくとも一つの第１のＰＬＰにピギーバックされた第４のデータタイプを有する少なくとも一つの第４のＰＬＰ、前記論理フレーム内で最後に位置した第３のデータタイプを有する少なくとも一つの第３のＰＬＰを含み、
前記論理フレームに含まれる前記少なくとも一つの第３のＰＬＰのユニットは、前記少なくとも一つの第１のＰＬＰから分割されたスライスのうちの少なくとも一つのスライスであり、前記各論理フレームに含まれた前記少なくとも一つの第３のＰＬＰのスライスが相互に隣接することを特徴とする請求項４に記載の方法。
【請求項７】
前記シグナリング情報は、前記選択されたＰＬＰと関連するアンカーＰＬＰの識別子と、前記選択されたＰＬＰのために使用される入力データストリームの同期化情報と、前記選択されたＰＬＰの帯域と関連する情報、及び前記論理チャンネルを伝達する次の物理フレームと現在の物理フレームとの間の相対的タイミングのうち少なくとも一つを含むことを特徴とする請求項２に記載の方法。
【請求項８】
無線通信システムにおける受信器によりデータを受信する方法であって、
少なくとも一つの物理チャンネルを通して少なくとも一つのサービスのデータストリームを送信する物理フレーム受信するステップと、
前記物理フレームを復号化するステップと、
前記物理フレームは、少なくとも一つの論理チャンネルにマッピングされ、前記少なくとも一つの論理チャンネルの各々は、複数個の論理フレームのうちの選択された論理フレームを含み、前記複数個の論理フレームの各々は、前記データストリームに基づいて生成された複数個の物理階層パイプ(ＰＬＰ)のうちの選択されたＰＬＰを含み、前記選択されたＰＬＰのうちの少なくとも２個のＰＬＰが相互に異なるデータタイプを有することを特徴とする方法。
【請求項９】
前記複数個の論理フレームの各々は、前記選択されたＰＬＰと関連するシグナリング情報を含み、前記シグナリング情報は、前記複数個の論理フレームの各々の開始に位置することを特徴とする請求項８に記載の方法。
【請求項１０】
前記複数個の論理フレームの各々に含まれた前記選択されたＰＬＰの配列は、一つの論理フレームから他の論理フレームまで動的に変更されることを特徴とする請求項８に記載の方法。
【請求項１１】
前記選択されたＰＬＰは、第１のデータタイプを有する少なくとも一つの第１のＰＬＰと、第２のデータタイプを有する少なくとも一つの第２のＰＬＰの順序で配列され、
論理フレームに含まれた前記少なくとも一つの第１のＰＬＰのユニットは、前記少なくとも一つの第１のＰＬＰ各々から分割されたスライスのうちの一つであり、前記論理フレームに含まれた前記少なくとも一つの第１のＰＬＰのスライスは相互に隣接し、
前記論理フレームに含まれた前記少なくとも一つの第２のＰＬＰのユニットは、前記少なくとも一つの第２のＰＬＰ各々から分割されたスライスのうちの多重スライスであることを特徴とする請求項８に記載の方法。
【請求項１２】
前記論理フレームで前記選択されたＰＬＰは、前記少なくとも一つの第１のＰＬＰの後に少なくとも一つの補助ストリームと、前記少なくとも一つの第２のＰＬＰと、少なくとも一つの共通ＰＬＰと、前記論理フレームで残りの領域を満たすために配列されるダミーセルをさらに含むことを特徴とする請求項１１に記載の方法。
【請求項１３】
前記論理フレームに含まれた前記選択されたＰＬＰは、前記少なくとも一つの第１のＰＬＰにピギーバックされた第４のデータタイプを有する少なくとも一つの第４のＰＬＰ、前記論理フレーム内で最後に位置した第３のデータタイプを有する少なくとも一つの第３のＰＬＰを含み、
前記論理フレームに含まれる前記少なくとも一つの第３のＰＬＰのユニットは、前記少なくとも一つの第１のＰＬＰから分割されたスライスのうちの少なくとも一つのスライスであり、前記各論理フレームに含まれた前記少なくとも一つの第３のＰＬＰのスライスが相互に隣接することを特徴とする請求項１１に記載の方法。
【請求項１４】
前記シグナリング情報は、前記選択されたＰＬＰと関連するアンカーＰＬＰの識別子と、前記選択されたＰＬＰのために使用される入力データストリームの同期化情報と、前記選択されたＰＬＰの帯域と関連する情報、及び前記論理チャンネルを伝達する次の物理フレームと現在の物理フレームとの間の相対的タイミングのうちの少なくとも一つを含むことを特徴とする請求項９に記載の方法。
【請求項１５】
無線通信システムにおける送信器によりデータを送信する装置であって、
少なくとも一つのサービスのデータストリームを送信するための物理フレームを生成する制御器と、
少なくとも一つの物理チャンネルを通して物理フレームを送信する送受信器と、を含み、
前記物理フレームは、少なくとも一つの論理チャンネルにマッピングされ、前記少なくとも一つの論理チャンネルの各々は、複数個の論理フレームのうちの選択された論理フレームを含み、前記複数個の論理フレームの各々は、前記データストリームに基づいて生成された複数個の物理階層パイプ(ＰＬＰ)のうちの選択されたＰＬＰを含むことを特徴とする装置。
【請求項１６】
前記複数個の論理フレームの各々は、前記選択されたＰＬＰと関連するシグナリング情報を含み、前記シグナリング情報は、前記複数個の論理フレームの各々の開始に位置することを特徴とする請求項１５に記載の装置。
【請求項１７】
前記複数個の論理フレームの各々に含まれた前記選択されたＰＬＰの配列は、一つの論理フレームから他の論理フレームまで動的に変更されることを特徴とする請求項１５に記載の装置。
【請求項１８】
前記選択されたＰＬＰは、第１のデータタイプを有する少なくとも一つの第１のＰＬＰと、第２のデータタイプを有する少なくとも一つの第２のＰＬＰの順序で配列され、
論理フレームに含まれた前記少なくとも一つの第１のＰＬＰのユニットは、前記少なくとも一つの第１のＰＬＰ各々から分割されたスライスのうちの一つであり、前記論理フレームに含まれた前記少なくとも一つの第１のＰＬＰのスライスは相互に隣接し、
前記論理フレームに含まれた前記少なくとも一つの第２のＰＬＰのユニットは、前記少なくとも一つの第２のＰＬＰ各々から分割されたスライスのうちの多重スライスであることを特徴とする請求項１５に記載の装置。
【請求項１９】
前記論理フレームで前記選択されたＰＬＰは、前記少なくとも一つの第１のＰＬＰの後に少なくとも一つの補助ストリームと、前記少なくとも一つの第２のＰＬＰと、少なくとも一つの共通ＰＬＰと、前記論理フレームで残りの領域を満たすために配列されるダミーセルをさらに含むことを特徴とする請求項１８に記載の装置。
【請求項２０】
前記論理フレームに含まれた前記選択されたＰＬＰは前記少なくとも一つの第１のＰＬＰにピギーバックされた第４のデータタイプを有する少なくとも一つの第４のＰＬＰ、前記論理フレーム内で最後に位置した第３のデータタイプを有する少なくとも一つの第３のＰＬＰを含み、
前記論理フレームに含まれる前記少なくとも一つの第３のＰＬＰのユニットは、前記少なくとも一つの第１のＰＬＰから分割されたスライスのうちの少なくとも一つのスライスであり、前記各論理フレームに含まれた前記少なくとも一つの第３のＰＬＰのスライスが相互に隣接することを特徴とする請求項１８に記載の装置。
【請求項２１】
前記シグナリング情報は、前記選択されたＰＬＰと関連するアンカーＰＬＰの識別子と、前記選択されたＰＬＰのために使用される入力データストリームの同期化情報と、前記選択されたＰＬＰの帯域と関連する情報、及び前記論理チャンネルを伝達する次の物理フレームと現在の物理フレームとの間の相対的タイミングのうちの少なくとも一つを含むことを特徴とする請求項１６に記載の装置。
【請求項２２】
無線通信システムにおける受信器によりデータを受信する装置であって、
少なくとも一つの物理チャンネルを通して少なくとも一つのサービスのデータストリームを送信する物理フレームを受信する送受信器と、
前記物理フレームを復号化する制御器と、を含み、
前記物理フレームは、少なくとも一つの論理チャンネルにマッピングされ、前記少なくとも一つの論理チャンネルの各々は、複数個の論理フレームのうちの選択された論理フレームを含み、前記複数個の論理フレームの各々は、前記データストリームに基づいて生成された複数個の物理階層パイプ(ＰＬＰ)のうちの選択されたＰＬＰを含み、前記選択されたＰＬＰのうちの少なくとも２個のＰＬＰが相互に異なるデータタイプを有することを特徴とする装置。
【請求項２３】
前記複数個の論理フレームの各々は、前記選択されたＰＬＰと関連するシグナリング情報を含み、前記シグナリング情報は、前記複数個の論理フレームの各々の開始に位置することを特徴とする請求項２２に記載の装置。
【請求項２４】
前記複数個の論理フレームの各々に含まれた前記選択されたＰＬＰの配列は、一つの論理フレームから他の論理フレームまで動的に変更されることを特徴とする請求項２２に記載の装置。
【請求項２５】
前記選択されたＰＬＰは、第１のデータタイプを有する少なくとも一つの第１のＰＬＰと、第２のデータタイプを有する少なくとも一つの第２のＰＬＰの順序で配列され、
論理フレームに含まれた前記少なくとも一つの第１のＰＬＰのユニットは、前記少なくとも一つの第１のＰＬＰ各々から分割されたスライスのうちの一つであり、前記論理フレームに含まれた前記少なくとも一つの第１のＰＬＰのスライスは相互に隣接し、
前記論理フレームに含まれた前記少なくとも一つの第２のＰＬＰのユニットは、前記少なくとも一つの第２のＰＬＰ各々から分割されたスライスのうちの多重スライスであることを特徴とする請求項２２に記載の装置。
【請求項２６】
前記論理フレームで前記選択されたＰＬＰは、前記少なくとも一つの第１のＰＬＰの後に少なくとも一つの補助ストリームと、前記少なくとも一つの第２のＰＬＰと、少なくとも一つの共通ＰＬＰと、前記論理フレームで残りの領域を満たすために配列されるダミーセルをさらに含むことを特徴とする請求項２５に記載の装置。
【請求項２７】
前記論理フレームに含まれた前記選択されたＰＬＰは、前記少なくとも一つの第１のＰＬＰにピギーバックされた第４のデータタイプを有する少なくとも一つの第４のＰＬＰ、前記論理フレーム内で最後に位置した第３のデータタイプを有する少なくとも一つの第３のＰＬＰを含み、
前記論理フレームに含まれる前記少なくとも一つの第３のＰＬＰのユニットは、前記少なくとも一つの第１のＰＬＰから分割されたスライスのうちの少なくとも一つのスライスであり、前記各論理フレームに含まれた前記少なくとも一つの第３のＰＬＰのスライスが相互に隣接することを特徴とする請求項２５に記載の装置。
【請求項２８】
前記シグナリング情報は、前記選択されたＰＬＰと関連するアンカーＰＬＰの識別子と、前記選択されたＰＬＰのために使用される入力データストリームの同期化情報と、前記選択されたＰＬＰの帯域と関連する情報、及び前記論理チャンネルを伝達する次の物理フレームと現在の物理フレームとの間の相対的タイミングのうちの少なくとも一つを含むことを特徴とする請求項２３に記載の装置。